(57)【特許請求の範囲】
【請求項１】
無線通信システムにおいてスケジューリング要請（ＳＲ）を送信する方法であって、
前記方法は、ユーザ機器において実行され、
前記方法は、
ＳＲＳ（ｓｏｕｎｄｉｎｇ  ｒｅｆｅｒｅｎｃｅ  ｓｉｇｎａｌ）サブフレームを決定するためのＳＲＳ設定を受信することと、
１つのサブフレームにおけるＰＵＣＣＨ（ｐｈｙｓｉｃａｌ  ｕｐｌｉｎｋ  ｃｏｎｔｒｏｌ  ｃｈａｎｎｅｌ）上のＨＡＲＱ（ｈｙｂｒｉｄ  ａｕｔｏｍａｔｉｃ  ｒｅｐｅａｔ  ｒｅｑｕｅｓｔ）  ＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）およびＳＲＳの送信を移動端末がサポートするか否かを示す同時送信インジケータを受信することと、
前記１つのサブフレームにおける前記ＰＵＣＣＨ上の前記ＨＡＲＱ  ＡＣＫ／ＮＡＣＫおよび前記ＳＲＳの送信を前記移動端末がサポートすることを前記同時送信インジケータが示す場合に、前記ＳＲＳサブフレームにおいて前記ＳＲＳおよびスケジューリング要請（ＳＲ）を送信することと
を含み、
前記ＳＲＳサブフレームは、複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含み、
前記ＳＲＳは、前記ＳＲＳサブフレームの最後のＳＣ−ＦＤＭＡシンボルで送信され、前記ＳＲは、前記ＳＲＳサブフレームの残りのＳＣ−ＦＤＭＡシンボルで送信される、方法。
【請求項２】
前記ＳＲＳのために用いられる前記最後のＳＣ−ＦＤＭＡシンボルは、穿孔されたＳＣ−ＦＤＭＡシンボルである、請求項１に記載の方法。
【請求項３】
無線通信システムにおけるスケジューリング要請（ＳＲ）を送信する装置であって、
前記装置は、
無線信号を送受信するＲＦ（ｒａｄｉｏ  ｆｒｅｑｕｅｎｃｙ）部と、
前記ＲＦ部と連結されるプロセッサと
を含み、
前記プロセッサは、
ＳＲＳ（ｓｏｕｎｄｉｎｇ  ｒｅｆｅｒｅｎｃｅ  ｓｉｇｎａｌ）サブフレームを決定するためのＳＲＳ設定を受信することと、
１つのサブフレームにおけるＰＵＣＣＨ（ｐｈｙｓｉｃａｌ  ｕｐｌｉｎｋ  ｃｏｎｔｒｏｌ  ｃｈａｎｎｅｌ）上のＨＡＲＱ（ｈｙｂｒｉｄ  ａｕｔｏｍａｔｉｃ  ｒｅｐｅａｔ  ｒｅｑｕｅｓｔ）  ＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）およびＳＲＳの送信を移動端末がサポートするか否かを示す同時送信インジケータを受信することと、
前記１つのサブフレームにおける前記ＰＵＣＣＨ上の前記ＨＡＲＱ  ＡＣＫ／ＮＡＣＫおよび前記ＳＲＳの送信を前記移動端末がサポートすることを前記同時送信インジケータが示す場合に、前記ＳＲＳサブフレームにおいて前記ＳＲＳおよびスケジューリング要請（ＳＲ）を送信することと
を実行するように構成されており、
前記ＳＲＳサブフレームは、複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含み、
前記ＳＲＳは、前記ＳＲＳサブフレームの最後のＳＣ−ＦＤＭＡシンボルで送信され、前記ＳＲは、前記ＳＲＳサブフレームの残りのＳＣ−ＦＤＭＡシンボルで送信される、装置。
【請求項４】
前記ＳＲＳのために用いられる前記サブフレームの前記最後のＳＣ−ＦＤＭＡシンボルは、穿孔されたＳＣ−ＦＤＭＡシンボルである、請求項３に記載の装置。
【発明の詳細な説明】
【技術分野】
【０００１】
本発明は、無線通信に関し、より詳しくは、無線通信システムにおけるスケジューリング要請の送信方法及び装置に関する。
【背景技術】
【０００２】
無線通信システムは、音声やデータなどのような多様な種類の通信サービスを提供するために広範囲に展開されている。無線通信システムの目的は、多数のユーザが位置と移動性に関係なしに信頼できる（ｒｅｌｉａｂｌｅ）通信が可能にすることである。しかし、無線チャネル（ｗｉｒｅｌｅｓｓ  ｃｈａｎｎｅｌ）は、パスロス（ｐａｔｈｌｏｓｓ）、雑音（ｎｏｉｓｅ）、多重経路（ｍｕｌｔｉｐａｔｈ）によるフェーディング（ｆａｄｉｎｇ）現象、シンボル間干渉（ＩＳＩ；ｉｎｔｅｒ−ｓｙｍｂｏｌ  ｉｎｔｅｒｆｅｒｅｎｃｅ）または端末の移動性によるドップラー効果（Ｄｏｐｐｌｅｒ  ｅｆｆｅｃｔ）などの非理想的な特性がある。従って、無線チャネルの非理想的特性を克服し、無線通信の信頼度（ｒｅｌｉａｂｉｌｉｔｙ）を高めるために多様な技術が開発されている。
【０００３】
一般的に、無線通信システムは、可用な無線リソースを共有して多重ユーザとの通信をサポートすることができる多重接続（ｍｕｌｔｉｐｌｅ  ａｃｃｅｓｓ）システムである。無線リソースの例には、時間、周波数、コード、送信パワーなどがある。多重接続システムの例として、ＴＤＭＡ（ｔｉｍｅ  ｄｉｖｉｓｉｏｎ  ｍｕｌｔｉｐｌｅ  ａｃｃｅｓｓ）システム、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＴＤＭＡシステムでは時間、ＦＤＭＡシステムでは周波数、ＣＤＭＡシステムではコード、ＯＦＤＭＡシステムでは副搬送波（ｓｕｂｃａｒｒｉｅｒ）及び時間が無線リソースである。
【０００４】
ＳＣ−ＦＤＭＡは、ＯＦＤＭＡと略同一な複雑性を有すると共に、シングル搬送波特性（ｓｉｎｇｌｅ  ｃａｒｒｉｅｒ  ｐｒｏｐｅｒｔｙ）により低いＰＡＰＲ（ｐｅａｋ−ｔｏ−ａｖｅｒａｇｅ  ｐｏｗｅｒ  ｒａｔｉｏ）を有する。低いＰＡＰＲは、送信パワー効率側面で端末に有益であるため、ＳＣ−ＦＤＭＡは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節に開示されているように、３ＧＰＰ  ＬＴＥ（ｌｏｎｇ  ｔｅｒｍ  ｅｖｏｌｕｔｉｏｎ）でアップリンク送信に採択されている。
【０００５】
多様なアップリンク制御信号がアップリンク制御チャネルを介して送信される。アップリンク制御信号には、ＨＡＲＱ（ｈｙｂｒｉｄ  ａｕｔｏｍａｔｉｃ  ｒｅｐｅａｔ  ｒｅｑｕｅｓｔ）実行に使われるＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号、ダウンリンクチャネル状態を示すＣＱＩ（Ｃｈａｎｎｅｌ  Ｑｕａｌｉｔｙ  Ｉｎｄｉｃａｔｏｒ）、アップリンク送信のための無線リソース割当を要請するＳＲ（ｓｃｈｅｄｕｌｉｎｇ  ｒｅｑｕｅｓｔ）等、多様な種類がある。
【０００６】
一方、端末は、基地局にサウンディング参照信号（ｓｏｕｎｄｉｎｇ  ｒｅｆｅｒｅｎｃｅ  ｓｉｇｎａｌ；ＳＲＳ）を送信する。サウンディング参照信号は、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。
【０００７】
しかし、アップリンク送信にＳＣ−ＦＤＭＡが用いられる場合にはシングル搬送波特性を維持するために、端末は互いに異なる信号を各々異なる周波数領域を使用するとしても、同時に送信することができない。これは限定された無線リソースの非効率を招くおそれがある。
【０００８】
従って、限定された無線リソースの効率的使用のためのＳＲ送信方法を提供する必要がある。
【発明の概要】
【発明が解決しようとする課題】
【０００９】
本発明が解決しようとする技術的課題は、無線通信システムにおけるスケジューリング要請の送信方法及び装置を提供することである。
【課題を解決するための手段】
【００１０】
一態様において、無線通信システムにおける端末がスケジューリング要請を送信する方法が提供される。前記方法は、複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むサブフレームでＰＵＣＣＨ（ｐｈｙｓｉｃａｌ  ｕｐｌｉｎｋ  ｃｏｎｔｒｏｌ  ｃｈａｎｎｅｌ）を設定し、前記ＰＵＣＣＨ上で一つのＳＣ−ＦＤＭＡシンボルが穿孔され（ｐｕｎｃｔｕｒｅｄ）、及び前記サブフレームで前記ＰＵＣＣＨ上に前記スケジューリング要請を送信することを含む。
【００１１】
好ましく、前記方法は、前記サブフレームでＳＲＳ（ｓｏｕｎｄｉｎｇ  ｒｅｆｅｒｅｎｃｅ  ｓｉｇｎａｌ）を送信することをさらに含み、前記穿孔されたＳＣ−ＦＤＭＡシンボルは、前記ＳＲＳが送信される位置に対応する。
【００１２】
前記方法は、基地局から同時送信インジケータを受信することをさらに含み、前記同時送信インジケータは、前記ＰＵＣＣＨ上のＳＣ−ＦＤＭＡシンボルが穿孔されるか否かを指示する。
【００１３】
前記方法は、基地局から特定サブフレーム設定パラメータを受信することをさらに含み、前記特定サブフレーム設定パラメータは、前記ＰＵＣＣＨ上で前記ＳＣ−ＦＤＭＡシンボルが穿孔されるサブフレームを指示する。
【００１４】
好ましく、前記穿孔されたＳＣ−ＦＤＭＡシンボルは、前記サブフレームの最後のＳＣ−ＦＤＭＡシンボルである。
【００１５】
好ましく、前記サブフレームは２個のスロットを含み、前記ＰＵＣＣＨは前記サブフレームの前記２個のスロットの各々で一つのリソースブロックを使用する。
【００１６】
好ましく、前記２個のスロットの各々で前記ＰＵＣＣＨに使われるリソースブロックの各々は周波数領域で異なる。
【００１７】
好ましく、前記スケジューリング要請は、前記サブフレーム内の前記２個のスロットの各々で異なる長さを有する直交シーケンスにより拡散される。
【００１８】
好ましく、前記穿孔されたＳＣ−ＦＤＭＡシンボルを含むスロットに対する第１の直交シーケンスの長さは、他のスロットに対する第２の直交シーケンスの長さより短い。
【００１９】
他の態様で、端末が提供される。前記端末は、無線信号を送受信するＲＦ（ｒａｄｉｏ  ｆｒｅｑｕｅｎｃｙ）部、及び前記ＲＦ部と連結されるプロセッサを含み、前記プロセッサは、複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むサブフレームでＰＵＣＣＨ（ｐｈｙｓｉｃａｌ  ｕｐｌｉｎｋ  ｃｏｎｔｒｏｌ  ｃｈａｎｎｅｌ）を設定し、前記ＰＵＣＣＨ上で一つのＳＣ−ＦＤＭＡシンボルが穿孔され（ｐｕｎｃｔｕｒｅｄ）、及び前記サブフレームで前記ＰＵＣＣＨ上にスケジューリング要請を送信する。
【００２０】
また、他の態様で、無線通信システムにおける端末がアップリンクリソースを要請する方法が提供される。前記方法は、サブフレームでスケジューリング要請を送信し、前記サブフレームは、第１のスロットと第２のスロットを含み、前記第１及び第２のスロットの各々は、複数のＳＣ−ＦＤＭＡシンボルを含み、前記第２のスロット内のＳＣ−ＦＤＭＡシンボルは穿孔され、前記スケジューリング要請が前記穿孔されたＳＣ−ＦＤＭＡシンボルで送信され、及び前記スケジューリング要請に対する応答としてアップリンクリソースを受信することを含む。
【００２１】
好ましく、前記第１及び第２のスロットは連続される。
（項目１）
無線通信システムにおける端末がスケジューリング要請を送信する方法において、
複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むサブフレームでＰＵＣＣＨ（ｐｈｙｓｉｃａｌ  ｕｐｌｉｎｋ  ｃｏｎｔｒｏｌ  ｃｈａｎｎｅｌ）を設定し、前記ＰＵＣＣＨ上で一つのＳＣ−ＦＤＭＡシンボルが穿孔され（ｐｕｎｃｔｕｒｅｄ）、及び
前記サブフレームで前記ＰＵＣＣＨ上に前記スケジューリング要請を送信することを含むことを特徴とする方法。
（項目２）
前記サブフレームでＳＲＳ（ｓｏｕｎｄｉｎｇ  ｒｅｆｅｒｅｎｃｅ  ｓｉｇｎａｌ）を送信することをさらに含み、前記穿孔されたＳＣ−ＦＤＭＡシンボルは、前記ＳＲＳが送信される位置に対応することを特徴とする項目１に記載の方法。
（項目３）
基地局から同時送信インジケータを受信することをさらに含み、前記同時送信インジケータは、前記ＰＵＣＣＨ上のＳＣ−ＦＤＭＡシンボルが穿孔されるか否かを指示することを特徴とする項目１に記載の方法。
（項目４）
基地局から特定サブフレーム設定パラメータを受信することをさらに含み、前記特定サブフレーム設定パラメータは、前記ＰＵＣＣＨ上で前記ＳＣ−ＦＤＭＡシンボルが穿孔されるサブフレームを指示することを特徴とする項目１に記載の方法。
（項目５）
前記穿孔されたＳＣ−ＦＤＭＡシンボルは、前記サブフレームの最後のＳＣ−ＦＤＭＡシンボルであることを特徴とする項目１に記載の方法。
（項目６）
前記サブフレームは２個のスロットを含み、前記ＰＵＣＣＨは前記サブフレームの前記２個のスロットの各々で一つのリソースブロックを使用することを特徴とする項目１に記載の方法。
（項目７）
前記２個のスロットの各々で前記ＰＵＣＣＨに使われるリソースブロックの各々は周波数領域で異なることを特徴とする項目６に記載の方法。
（項目８）
前記スケジューリング要請は、前記サブフレーム内の前記２個のスロットの各々で異なる長さを有する直交シーケンスにより拡散されることを特徴とする項目６に記載の方法。
（項目９）
前記穿孔されたＳＣ−ＦＤＭＡシンボルを含むスロットに対する第１の直交シーケンスの長さは、他のスロットに対する第２の直交シーケンスの長さより短いことを特徴とする項目８に記載の方法。
（項目１０）
無線信号を送受信するＲＦ（ｒａｄｉｏ  ｆｒｅｑｕｅｎｃｙ）部、及び
前記ＲＦ部と連結されるプロセッサを含み、
前記プロセッサは、複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含むサブフレームでＰＵＣＣＨ（ｐｈｙｓｉｃａｌ  ｕｐｌｉｎｋ  ｃｏｎｔｒｏｌ  ｃｈａｎｎｅｌ）を設定し、前記ＰＵＣＣＨ上で一つのＳＣ−ＦＤＭＡシンボルが穿孔され（ｐｕｎｃｔｕｒｅｄ）、及び
前記サブフレームで前記ＰＵＣＣＨ上にスケジューリング要請を送信することを特徴とする端末。
（項目１１）
無線通信システムにおける端末がアップリンクリソースを要請する方法において、
サブフレームでスケジューリング要請を送信し、前記サブフレームは、第１のスロットと第２のスロットを含み、前記第１及び第２のスロットの各々は、複数のＳＣ−ＦＤＭＡシンボルを含み、前記第２のスロット内のＳＣ−ＦＤＭＡシンボルは穿孔され、前記スケジューリング要請が前記穿孔されたＳＣ−ＦＤＭＡシンボルで送信され、及び
前記スケジューリング要請に対する応答としてアップリンクリソースを受信することを含むことを特徴とする方法。
（項目１２）
前記第１及び第２のスロットは連続されることを特徴とする項目１１に記載の方法。
【発明の効果】
【００２２】
効率的なスケジューリング要請の送信方法及び装置が提供される。従って、全体システム性能を向上させることができる。
【図面の簡単な説明】
【００２３】
【図１】無線通信システムを示す。
【図２】ＨＡＲＱ  ＡＣＫ／ＮＡＣＫ信号及びＣＱＩ送信を示す。
【図３】アップリンク送信を示す。
【図４】３ＧＰＰ  ＬＴＥにおける無線フレームの構造を示す。
【図５】３ＧＰＰ  ＬＴＥにおける一つのアップリンクスロットに対するリソースグリッドを示す例示図である。
【図６】３ＧＰＰ  ＬＴＥにおけるアップリンクサブフレームの構造の例を示す。
【図７】ノーマルＣＰの場合、ＰＵＣＣＨフォーマット１／１ａ／１ｂ送信の例を示す。
【図８】拡張されたＣＰの場合、ＰＵＣＣＨフォーマット１／１ａ／１ｂ送信の例を示す。
【図９】サウンディング参照信号が送信されるサブフレームの例を示す。
【図１０】ノーマルＣＰの場合、縮小されたＡＣＫ／ＮＡＣＫフォーマット送信の例を示す。
【図１１】拡張されたＣＰの場合、縮小されたＡＣＫ／ＮＡＣＫフォーマット送信の例を示す。
【図１２】第１のＰＵＣＣＨリソースインデックス割当の例を示す。
【図１３】ＰＵＣＣＨが割り当てられるリソースブロックの例を示す。
【図１４】ノーマルＣＰの場合、縮小されたＳＲフォーマット送信の例を示す。
【図１５】拡張されたＣＰの場合、縮小されたＳＲフォーマット送信の例を示す。
【図１６】縮小されたＳＲフォーマットを用いたアップリンク制御信号の送信方法の一例を示す流れ図である。
【図１７】縮小されたＳＲフォーマットを用いたアップリンク制御信号の送信方法の他の例を示す流れ図である。
【図１８】特定サブフレームでＳＲとサウンディング参照信号が送信される例を示す。
【図１９】本発明の実施例を具現する無線通信システムを示すブロック図である。
【発明を実施するための形態】
【００２４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。
【００２５】
説明を明確にするために、３ＧＰＰ  ＬＴＥを中心に記述するが、本発明の技術的思想がこれに制限されるものではない。
【００２６】
図１は、無線通信システムを示す。
【００２７】
図１を参照すると、無線通信システム１０は少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは複数の領域（セクターという）に分けられる。端末（Ｕｓｅｒ  Ｅｑｕｉｐｍｅｎｔ；ＵＥ）１２は、固定されたり移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。基地局１１は、一般的に端末１２と通信する固定局（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００２８】
以下、ダウンリンク（ｄｏｗｎｌｉｎｋ；ＤＬ）は、基地局から端末への通信を意味し、アップリンク（ｕｐｌｉｎｋ；ＵＬ）は、端末から基地局への通信を意味する。ダウンリンクにおいて、送信機は基地局の一部分であり、受信機は端末の一部分である。アップリンクにおいて、送信機は端末の一部分であり、受信機は基地局の一部分である。
【００２９】
無線通信システムは、アップリンク及び／またはダウンリンクＨＡＲＱ（Ｈｙｂｒｉｄ  Ａｕｔｏｍａｔｉｃ  Ｒｅｐｅａｔ  Ｒｅｑｕｅｓｔ）をサポートすることができる。また、リンク適応（ｌｉｎｋａｄ  ａｐｔａｔｉｏｎ）のためにＣＱＩ（ｃｈａｎｎｅｌ  ｑｕａｌｉｔｙ  ｉｎｄｉｃａｔｏｒ）を使用することができる。
【００３０】
図２は、ＨＡＲＱ  ＡＣＫ／ＮＡＣＫ信号及びＣＱＩ送信を示す。
【００３１】
図２を参照すると、基地局からダウンリンクデータを受信した端末は、一定時間が経過した後にＨＡＲＱ  ＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を送信する。ダウンリンクデータは、ＰＤＣＣＨ（Ｐｈｙｓｉｃａｌ  Ｄｏｗｎｌｉｎｋ  Ｃｏｎｔｒｏｌ  Ｃｈａｎｎｅｌ）により指示されるＰＤＳＣＨ（Ｐｈｙｓｉｃａｌ  Ｄｏｗｎｌｉｎｋ  Ｓｈａｒｅｄ  Ｃｈａｎｎｅｌ）上に送信されることができる。ＨＡＲＱ  ＡＣＫ／ＮＡＣＫ信号は、前記ダウンリンクデータが成功的にデコーディングされる場合にはＡＣＫ信号となり、前記ダウンリンクデータがデコーディングに失敗する場合にはＮＡＣＫ信号となる。基地局は、ＮＡＣＫ信号が受信される場合、ＡＣＫ信号が受信されたり、或いは最大再送信回数まで前記ダウンリンクデータを再送信することができる。
【００３２】
ダウンリンクデータに対するＨＡＲＱ  ＡＣＫ／ＮＡＣＫ信号の送信時点やリソース割当は、基地局がシグナリングを介して動的に知らせることができ、またはダウンリンクデータの送信時点やリソース割当によって予め約束されることができる。例えば、ＦＤＤ（Ｆｒｅｑｕｅｎｃｙ  Ｄｉｖｉｓｉｏｎ  Ｄｕｐｌｅｘ）システムで、ＰＤＳＣＨがｎ番サブフレームを介して受信される場合、前記ＰＤＳＣＨに対するＨＡＲＱ  ＡＣＫ／ＮＡＣＫ信号は、ｎ＋４番サブフレーム内のＰＵＣＣＨ（Ｐｈｙｓｉｃａｌ  ｕｐｌｉｎｋ  ｃｏｎｔｒｏｌ  ｃｈａｎｎｅｌ）を介して送信されることができる。
【００３３】
端末は、ダウンリンクチャネル状態を測定し、周期的及び／または非周期的にＣＱＩを基地局に報告することができる。基地局は、ＣＱＩを用いてダウンリンクスケジューリングに使用することができる。基地局は、端末にＣＱＩの送信時点やリソース割当に関する情報を知らせることができる。
【００３４】
図３は、アップリンク送信を示す。
【００３５】
図３を参照すると、アップリンク送信のために、まず、端末は、基地局にＳＲ（Ｓｃｈｅｄｕｌｉｎｇ  Ｒｅｑｕｅｓｔ）を送る。ＳＲは、端末がアップリンク無線リソース割当を基地局に要請することであり、データ交換のための事前情報交換の一種である。端末が基地局にアップリンクデータを送信するためには、まず、ＳＲを介して無線リソース割当を要請する。
【００３６】
基地局は、ＳＲに対する応答としてアップリンクグラントを端末に送る。アップリンクグラントは、ＰＤＣＣＨ上に送信されることができる。アップリンクグラントは、アップリンク無線リソースの割当を含む。端末は、割り当てられたアップリンク無線リソースを介してアップリンクデータを送信する。基地局は、端末にＳＲの送信時点やリソース割当に関する情報を知らせることができる。ＳＲは、周期的に送信されることができる。基地局は、端末にＳＲの送信周期を知らせることができる。
【００３７】
図２及び図３に示すように、端末は、ＨＡＲＱ  ＡＣＫ／ＮＡＣＫ信号、ＣＱＩ及びＳＲのようなアップリンク制御信号を与えられた送信時点で送信することができる。制御信号の種類及び大きさは、システムによって変わることができ、本発明の技術的思想がこれに制限されるものではない。
【００３８】
図４は、３ＧＰＰ  ＬＴＥにおける無線フレームの構造を示す。
【００３９】
図４を参照すると、無線フレーム（ｒａｄｉｏ  ｆｒａｍｅ）は１０個のサブフレーム（ｓｕｂｆｒａｍｅ）で構成され、一つのサブフレームは２個のスロット（ｓｌｏｔ）で構成される。無線フレーム内のスロットは０から１９までスロット番号が付けられる。一つのサブフレームの送信にかかる時間をＴＴＩ（ｔｒａｎｓｍｉｓｓｉｏｎ  ｔｉｍｅ  ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００４０】
無線フレームの構造は例示に過ぎず、無線フレームに含まれるサブフレームの数またはサブフレームに含まれるスロットの数等は多様に変更されることができる。
【００４１】
図５は、３ＧＰＰ  ＬＴＥにおける一つのアップリンクスロットに対するリソースグリッド（ｒｅｓｏｕｒｃｅ  ｇｒｉｄ）を示す例示図である。
【００４２】
図５を参照すると、アップリンクスロットは、時間領域（ｔｉｍｅ  ｄｏｍａｉｎ）で複数のＳＣ−ＦＤＭＡシンボルを含み、周波数領域（ｆｒｅｑｕｅｎｃｙ  ｄｏｍａｉｎ）でＮＵＬリソースブロック（Ｒｅｓｏｕｒｃｅ  Ｂｌｏｃｋ；ＲＢ）を含む。ＳＣ−ＦＤＭＡシンボルは、一つのシンボル区間（ｓｙｍｂｏｌ  ｐｅｒｉｏｄ）を表現するためのものであり、システムによってＯＦＤＭＡシンボルまたはシンボル区間ということができる。リソースブロックは、リソース割当単位であり、周波数領域で複数の副搬送波を含む。アップリンクスロットに含まれるリソースブロックの数ＮＵＬは、セルで設定されるアップリンク送信帯域幅（ｂａｎｄｗｉｄｔｈ）に従属する。３ＧＰＰ  ＬＴＥにおけるＮＵＬは６０〜１１０のうちいずれか一つである。
【００４３】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，l）により識別されることができる。ここで、ｋ（ｋ＝０，．．．，ＮＵＬ×１２−１）は、周波数領域内の副搬送波インデックスであり、l（l＝０，．．．，６）は、時間領域内のＳＣ−ＦＤＭＡシンボルインデックスである。
【００４４】
ここで、一つのリソースブロックは、時間領域で７ＳＣ−ＦＤＭＡシンボル、周波数領域で１２副搬送波で構成される７×１２リソース要素を含むことを例示的に記述するが、リソースブロック内の副搬送波の数とＳＣ−ＦＤＭＡシンボルの数はこれに制限されるものではない。リソースブロックが含むＳＣ−ＦＤＭＡシンボルの数または副搬送波の数は多様に変更されることができる。ＳＣ−ＦＤＭＡシンボルの数は、サイクリックプレフィックス（Ｃｙｃｌｉｃ  Ｐｒｅｆｉｘ；以下、ＣＰという）の長さによって変更されることができる。例えば、ノーマル（ｎｏｒｍａｌ）ＣＰの場合、ＳＣ−ＦＤＭＡシンボルの数は７であり、拡張された（ｅｘｔｅｎｄｅｄ）ＣＰの場合、ＳＣ−ＦＤＭＡシンボルの数は６である。
【００４５】
図５の３ＧＰＰ  ＬＴＥにおける一つのアップリンクスロットに対するリソースグリッドは、ダウンリンクスロットに対するリソースグリッドにも適用されることができる。ただし、ダウンリンクスロットは、時間領域で複数のＯＦＤＭシンボルを含む。
【００４６】
図６は、３ＧＰＰ  ＬＴＥにおけるアップリンクサブフレームの構造の例を示す。
【００４７】
図６を参照すると、アップリンクサブフレームは、アップリンク制御信号を運ぶＰＵＣＣＨ（Ｐｈｙｓｉｃａｌ  ｕｐｌｉｎｋ  ｃｏｎｔｒｏｌ  ｃｈａｎｎｅｌ）が割り当てられる制御領域と、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられるデータ領域と、に分けられる。ＳＣ−ＦＤＭＡでシングル搬送波特性を維持するために、一つの端末に周波数領域に連続的なリソースブロックをリソースとして割り当てる。一つの端末は、ＰＵＣＣＨとＰＵＳＣＨを同時に送信できない。
【００４８】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。これをＰＵＣＣＨに割り当てられるリソースブロック対がスロット境界（ｓｌｏｔ  ｂｏｕｎｄａｒｙ）で周波数ホッピング（ｆｒｅｑｕｅｎｃｙ  ｈｏｐｐｉｎｇ）されるという。ｍは、サブフレーム内でＰＵＣＣＨに割り当てられたリソースブロックの周波数領域位置を示す位置インデックスである。
【００４９】
ＰＵＳＣＨは、伝送チャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＣＣＨ上で送信されるアップリンク制御信号は、ＨＡＲＱ  ＡＣＫ／ＮＡＣＫ信号、ダウンリンクチャネル状態を示すＣＱＩ、アップリンク無線リソース割当要請であるＳＲなどがある。
【００５０】
ＰＵＣＣＨは、多重フォーマットをサポートすることができる。即ち、変調方式（ｍｏｄｕａｌｔｉｏｎ  ｓｃｈｅｍｅ）によってサブフレーム当たり互いに異なるビット数を有するアップリンク制御信号を送信することができる。次の表は、ＰＵＣＣＨフォーマットによる変調方式及びサブフレーム当たりビット数の例を示す。
【００５１】
【表１】
0005438110.tif 000002
【００５２】
ＰＵＣＣＨフォーマット１は、ＳＲの送信に使われ、ＰＵＣＣＨフォーマット１ａまたはフォーマット１ｂは、ＨＡＲＱ  ＡＣＫ／ＮＡＣＫ信号の送信に使われ、ＰＵＣＣＨフォーマット２は、ＣＱＩの送信に使われ、ＰＵＣＣＨフォーマット２ａ／２ｂは、ＣＱＩ及びＨＡＲＱ  ＡＣＫ／ＮＡＣＫ信号の送信に使われる。
【００５３】
任意のサブフレームで、ＨＡＲＱ  ＡＣＫ／ＮＡＣＫ信号が単独に送信される場合にはＰＵＣＣＨフォーマット１ａまたはフォーマット１ｂを使用し、ＳＲが単独に送信される場合にはＰＵＣＣＨフォーマット１を使用する。端末は、ＨＡＲＱ  ＡＣＫ／ＮＡＣＫ信号及びＳＲを同一サブフレームで送信することができる。肯定的な（ｐｏｓｉｔｉｖｅ）ＳＲ送信のために、端末は、ＳＲのために割り当てられたＰＵＣＣＨリソースを介してＨＡＲＱ  ＡＣＫ／ＮＡＣＫ信号を送信し、否定的な（ｎｅｇａｔｉｖｅ）ＳＲ送信のために、端末は、ＡＣＫ／ＮＡＣＫのために割り当てられたＰＵＣＣＨリソースを介してＨＡＲＱ  ＡＣＫ／ＮＡＣＫ信号を送信する。
【００５４】
ＰＵＣＣＨ上に送信される制御信号は、循環シフトされたシーケンス（ｃｙｃｌｉｃａｌｌｙ  ｓｈｉｆｔｅｄ  ｓｅｑｕｅｎｃｅ）を用いる。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）ほど循環シフトさせて生成することができる。特定ＣＳ量は、循環シフトインデックス（ＣＳ  ｉｎｄｅｘ）により指示される。多様な種類のシーケンスが基本シーケンスとして使われることができる。例えば、ＰＮ（ｐｓｅｕｄｏ−ｒａｎｄｏｍ）シーケンス、ＺＣ（Ｚａｄｏｆｆ−Ｃｈｕ）シーケンスのようなよく知られたシーケンスを基本シーケンスとして使用することができる。または、コンピュータを介して生成されるＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。次の数式は、基本シーケンスの例である。
【００５５】
【数１】
0005438110.tif 000003
【００５６】
ここで、ｉ∈｛０、１，．．．，２９｝はルートインデックス（ｒｏｏｔ  ｉｎｄｅｘ）、ｎは要素インデックスであり、０≦ｎ≦Ｎ−１、Ｎは基本シーケンスの長さである。ｉは、セルＩＤ（ｉｄｅｎｔｉｔｙ）、無線フレーム内のスロット番号などにより決まることができる。一つのリソースブロックが１２副搬送波を含むとする時、Ｎは１２に設定することができる。異なるルートインデックスによって異なる基本シーケンスが定義される。Ｎ＝１２の場合、ｂ（ｎ）は、次の表のように定義されることができる。
【００５７】
【表２】
0005438110.tif 000004
【００５８】
基本シーケンスｒ（ｎ）を次の数式のように循環シフトさせ、循環シフトされたシーケンスｒ（ｎ，Ｉｃｓ）を生成することができる。
【００５９】
【数２】
0005438110.tif 000005
【００６０】
ここで、ＩｃｓはＣＳ量を示す循環シフトインデックスである（０≦Ｉｃｓ≦Ｎ−１、Ｉｃｓは整数）。
【００６１】
以下、基本シーケンスの可用（ａｖａｉｌａｂｌｅ）ＣＳは、ＣＳ単位によって基本シーケンスから得る（ｄｅｒｉｖｅ）ことができるＣＳを意味する。例えば、基本シーケンスの長さが１２であり、ＣＳ単位が１の場合、基本シーケンスの可用ＣＳの総数は１２となる。または、基本シーケンスの長さが１２であり、ＣＳ単位が２の場合、基本シーケンスの可用ＣＳの総数は６となる。ＣＳ単位は、遅延スプレッド（ｄｅｌａｙ  ｓｐｒｅａｄ）を考慮して決定されることができる。
【００６２】
図７は、ノーマルＣＰの場合、ＰＵＣＣＨフォーマット１／１ａ／１ｂ送信の例を示す。これは一つのサブフレーム内の第１のスロットと第２のスロットに割り当てられたリソースブロック対を示すものである。
【００６３】
図７を参照すると、第１のスロットと第２のスロットの各々は、７ＳＣ−ＦＤＭＡシンボルを含む。各スロットの７ＳＣ−ＦＤＭＡシンボルのうち３ＳＣ−ＦＤＭＡシンボルには参照信号（ｒｅｆｅｒｅｎｃｅ  ｓｉｇｎａｌ；以下、ＲＳという）が載せられ、残りの４ＳＣ−ＦＤＭＡシンボルには制御信号が載せられる。ＲＳは、各スロット中間の３個の隣接する（ｃｏｎｔｉｇｕｏｕｓ）ＳＣ−ＦＤＭＡシンボルに載せられる。この時、ＲＳに使われるシンボルの個数及び位置は変わることができ、制御信号に使われるシンボルの個数及び位置もそれによって変更されることができる。
【００６４】
ＰＵＣＣＨフォーマット１、１ａ及び１ｂの各々は、一つの複素シンボル（ｃｏｍｐｌｅｘ−ｖａｌｕｅｄ  ｓｙｍｂｏｌ）ｄ（０）を使用する。基地局は、ＳＲを端末からのＰＵＣＣＨ送信の存在または不存在だけで分かる。従って、ＰＵＣＣＨフォーマット１のための複素シンボルｄ（０）として特定値、例えば、ｄ（０）＝１を使用することができる。ＰＵＣＣＨフォーマット１ａのための複素シンボルｄ（０）は、１ビットのＨＡＲＱ  ＡＣＫ／ＮＡＣＫ情報がＢＰＳＫ（Ｂｉｎａｒｙ  Ｐｈａｓｅ  Ｓｈｉｆｔ  Ｋｅｙｉｎｇ）変調されて生成される。ＰＵＣＣＨフォーマット１ｂのための複素シンボルｄ（０）は、２ビットのＨＡＲＱ  ＡＣＫ／ＮＡＣＫ情報がＱＰＳＫ（Ｑｕａｄｒａｔｕｒｅ  Ｐｈａｓｅ  Ｓｈｉｆｔ  Ｋｅｙｉｎｇ）変調されて生成される。
【００６５】
ＰＵＣＣＨフォーマット１／１ａ／１ｂのための複素シンボルｄ（０）と循環シフトされたシーケンスｒ（ｎ，Ｉｃｓ）に基づいて変調されたシーケンス（ｍｏｄｕｌａｔｅｄ  ｓｅｑｕｅｎｃｅ）ｙ（ｎ）を生成する。次の数式のように循環シフトされたシーケンスｒ（ｎ，Ｉｃｓ）に複素シンボルｄ（０）をかけて変調されたシーケンスｙ（ｎ）を生成することができる。
【００６６】
【数３】
0005438110.tif 000006
【００６７】
循環シフトされたシーケンスｒ（ｎ，Ｉｃｓ）の循環シフトインデックスであるＩｃｓは、無線フレーム内のスロット番号（ｎｓ）及びスロット内のＳＣ−ＦＤＭＡシンボルインデックス（l）によって変わることができる。従って、循環シフトインデックスＩｃｓは、Ｉｃｓ（ｎｓ，l）で表現されることができる。ここでは、第１のスロットのスロット番号は０に設定し、第２のスロットのスロット番号は１に設定し、Ｉｃｓ（０，０）＝０、Ｉｃｓ（０，１）＝１、Ｉｃｓ（０，５）＝２、Ｉｃｓ（０，６）＝３、Ｉｃｓ（１，０）＝４、Ｉｃｓ（１，１）＝５、Ｉｃｓ（１，５）＝６、及びＩｃｓ（１，６）＝７に設定しているが、これは例示にすぎない。
【００６８】
端末容量を増加させるために、変調されたシーケンスｙ（ｎ）は、直交シーケンスを用いて拡散されることができる。ここでは、一つのスロット内の制御信号が載せられる４ＳＣ−ＦＤＭＡシンボルに対し、拡散係数（ｓｐｒｅａｄｉｎｇ  ｆａｃｔｏｒ）Ｋ＝４である直交シーケンスｗ（ｋ）を介して変調されたシーケンスｙ（ｎ）を拡散させることを開示している。
【００６９】
拡散係数Ｋ＝４である直交シーケンスｗＩｏｓ（ｋ）（Ｉｏｓは直交シーケンスインデックス、０≦ｋ≦Ｋ−１）として次の表のようなシーケンスを使用することができる。
【００７０】
【表３】
0005438110.tif 000007
【００７１】
または、拡散係数Ｋ＝３である直交シーケンスｗＩｏｓ（ｋ）（Ｉｏｓは直交シーケンスインデックス、０≦ｋ≦Ｋ−１）として次の表のようなシーケンスを使用することができる。
【００７２】
【表４】
0005438110.tif 000008
【００７３】
直交シーケンスインデックスＩｏｓは無線フレーム内のスロット番号（ｎｓ）によって変わることができる。従って、直交シーケンスインデックスＩｏｓは、Ｉｏｓ（ｎｓ）で表現されることができる。
【００７４】
また、変調されたシーケンスｙ（ｎ）は、直交シーケンスを用いた拡散の以外にもスクランブルされることができる。例えば、変調されたシーケンスｙ（ｎ）に特定パラメータによって１またはｊが掛けられる。
【００７５】
ＲＳは、制御信号と同一な基本シーケンスから生成された循環シフトされたシーケンスと直交シーケンスに基づいて生成することができる。循環シフトされたシーケンスを拡散係数Ｋ＝３である直交シーケンスｗ（ｋ）を介して拡散させてＲＳとして使用することができる。従って、端末が制御信号を送信するために、制御信号のための循環シフトインデックスと直交シーケンスインデックスの以外にも、ＲＳのための循環シフトインデックスと直交シーケンスインデックスも必要である。
【００７６】
図８は、拡張されたＣＰの場合、ＰＵＣＣＨフォーマット１／１ａ／１ｂ送信の例を示す。
【００７７】
図８を参照すると、第１のスロットと第２のスロットの各々は、６ＳＣ−ＦＤＭＡシンボルを含む。各スロットの６ＳＣ−ＦＤＭＡシンボルのうち２ＳＣ−ＦＤＭＡシンボルにはＲＳが載せられ、残りの４ＳＣ−ＦＤＭＡシンボルには制御信号が載せられる。これを除外すると、図８のノーマルＣＰの場合の例がそのまま適用される。ただし、循環シフトされたシーケンスを拡散係数Ｋ＝２である直交シーケンスｗ（ｋ）を介して拡散させてＲＳとして使用することができる。
【００７８】
拡散係数Ｋ＝２である直交シーケンスｗＩｏｓ（ｋ）（Ｉｏｓは直交シーケンスインデックス、０≦ｋ≦Ｋ−１）として次の表のようなシーケンスを使用することができる。
【００７９】
【表５】
0005438110.tif 000009
【００８０】
前述した通り、ノーマルＣＰの場合と拡張されたＣＰの場合の両方ともＰＵＣＣＨフォーマット１／１／ａ／１ｂ送信のために、次の情報が必要である。制御信号のための循環シフトインデックスＩｃｓ及び直交シーケンスインデックスＩｏｓ、ＲＳのための循環シフトインデックスＩ′ｃｓ及び直交シーケンスインデックスＩ′ｏｓが必要である。
【００８１】
以下、サウンディング参照信号（ｓｏｕｎｄｉｎｇ  ｒｅｆｅｒｅｎｃｅ  ｓｉｇｎａｌ；ＳＲＳ）送信方法を説明する。サウンディング参照信号は、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。
【００８２】
図９は、サウンディング参照信号が送信されるサブフレームの例を示す。
【００８３】
図９を参照すると、サウンディング参照信号はサブフレーム内の１ＳＣ−ＦＤＭＡシンボルを介して送信される。以下、サウンディング参照信号が送信される区間のＳＣ−ＦＤＭＡシンボルをサウンディングシンボル（ｓｏｕｎｄｉｎｇ  ｓｙｍｂｏｌ）という。ここでは、サブフレームを構成する１４ＳＣ−ＦＤＭＡシンボルのうち最後のＳＣ−ＦＤＭＡシンボルがサウンディングシンボルであるが、これは例示に過ぎず、サブフレーム内のサウンディングシンボルの位置や個数は多様に変更されることができる。
【００８４】
サウンディング参照信号は、制御領域では送信されず、データ領域で送信される。端末は、サウンディング参照信号をデータ領域の全体周波数（または副搬送波）にわたって送信したり、或いはデータ領域の一部周波数にわたって送信することができる。端末がサウンディング参照信号を一部周波数にわたって送信する場合、サウンディング参照信号が送信されるサブフレーム毎に異なる周波数でホッピングして送信することができる。また、端末は、サウンディング参照信号を偶数または奇数の副搬送波インデックスの副搬送波のみを用いて送信することもできる。端末は、周期的または非周期的にサウンディング参照信号を送信することができる。
【００８５】
サウンディング参照信号は、基本シーケンスを特定ＣＳ量ほど循環シフトさせた循環シフトされたシーケンスを用いることができる。基本シーケンスとしては、ＰＮシーケンス、ＺＣシーケンス、またはコンピュータを介して生成されるＣＡＺＡＣシーケンスを使用することができる。
【００８６】
セル内の複数の端末毎にサウンディング参照信号が送信されるサブフレーム、副搬送波またはＣＳ量などを各々異に使用することによって、複数の端末の各々のサウンディング参照信号が多重化されることができる。
【００８７】
基地局は、端末にサウンディング参照信号のためのパラメータを送信することができる。前記パラメータには、サウンディング参照信号の送信時期に対する情報、周波数情報及びＣＳ量情報などがある。サウンディング参照信号の送信時期に対する情報は、サウンディング参照信号が送信されるサブフレーム、送信周期などになり、周波数情報は、サウンディング参照信号が送信されるリソースブロックの個数、副搬送波インデックスなどになる。前記パラメータは、ＲＲＣのような上位階層により設定されることができる。
【００８８】
しかし、サウンディング参照信号の送信されるサブフレームと、ＰＵＣＣＨ上の制御信号が送信されるサブフレームは重なる場合がある。例えば、端末がＣＱＩ、ＳＲ及びサウンディング参照信号を各々の送信周期によって送信する場合、ＳＲが送信されるサブフレームとサウンディング参照信号が送信されるサブフレームが重なることができる。一つの端末はＰＵＣＣＨとＰＵＳＣＨを同時に送信することができないため、このような場合、端末がどの動作をすべきであるかが問題となる。
【００８９】
３ＧＰＰ  ＬＴＥで、サウンディング参照信号が送信されるサブフレームとＣＱＩが送信されるサブフレームが重なる場合、端末はサウンディング参照信号を送信しない。サウンディング参照信号が送信されるサブフレームとＳＲが送信されるサブフレームとが重なる場合、端末はサウンディング参照信号を送信しない。
【００９０】
サウンディング参照信号が送信されるサブフレームとＡＣＫ／ＮＡＣＫ信号が送信されるサブフレームが重なる場合、端末はサウンディング参照信号を送信しない場合もあり、または、端末は、ＡＣＫ／ＮＡＣＫ信号を縮小された（ｓｈｏｒｔｅｎｅｄ）ＡＣＫ／ＮＡＣＫフォーマットを使用し、ＡＣＫ／ＮＡＣＫ信号とサウンディング参照信号の同時送信をサポートすることができる。
【００９１】
図１０は、ノーマルＣＰの場合、縮小されたＡＣＫ／ＮＡＣＫフォーマット送信の例を示し、図１１は、拡張されたＣＰの場合、縮小されたＡＣＫ／ＮＡＣＫフォーマット送信の例を示す。
【００９２】
図１０及び図１１を参照すると、２ビットのＡＣＫ／ＮＡＣＫ情報がＱＰＳＫ変調されて一つの変調シンボルｄ（０）が生成される。または、１ビットのＡＣＫ／ＮＡＣＫ情報がＱＰＳＫ変調されて一つの変調シンボルｄ（０）が生成されることもできる。サブフレーム内の第２のスロットの最後のＳＣ−ＦＤＭＡシンボルが穿孔（ｐｕｎｃｔｕｒｉｎｇ）される。穿孔されたシンボルに該当する区間でサウンディング参照信号が送信されることができる。即ち、穿孔されたシンボルは、サウンディング参照信号が送信される位置（ｌｏｃａｔｉｏｎ）に対応される。第１のスロットは、図７または図８と同様である。第２のスロットでは制御信号が３ＳＣ−ＦＤＭＡシンボルに載せられる。前記３ＳＣ−ＦＤＭＡシンボルに対しては拡散係数Ｋ＝３である直交シーケンスが用いられる。即ち、第１のスロットと第２のスロットは非対称的である。以下、縮小されたＡＣＫ／ＮＡＣＫフォーマットと区別される図７及び図８のＰＵＣＣＨフォーマットをノーマルＰＵＣＣＨフォーマットという。
【００９３】
しかし、縮小されたＡＣＫ／ＮＡＣＫフォーマットを使用してＡＣＫ／ＮＡＣＫ信号が送信されるサブフレームで、他の端末によりノーマルＰＵＣＣＨフォーマットの使われたＳＲが送信される場合に問題が発生することがある。以下、ノーマルＰＵＣＣＨフォーマットが使われたＳＲをノーマルＳＲフォーマットという。
【００９４】
セル内の複数の端末は、基地局に同時に制御信号を送信することができる。この時、各端末が互いに異なるＰＵＣＣＨリソースを使用する場合、基地局は、各端末毎の制御信号を区別することができる。ＰＵＣＣＨリソースは、ＰＵＣＣＨを介する制御信号送信に使われるリソースである。ＰＵＣＣＨリソースは、ＰＵＣＣＨリソースインデックスにより識別される。ＰＵＣＣＨリソースインデックスから循環シフトインデックス及び周波数が決定される。また、直交シーケンスインデックスもＰＵＣＣＨリソースインデックスから決定されることができる。以下、ｎ（１）ＰＵＣＣＨは、第１のＰＵＣＣＨリソースインデックスであり、ＰＵＣＣＨフォーマット１／１ａ／１ｂのためのＰＵＣＣＨリソースインデックスで、ｎ（２）ＰＵＣＣＨは、第２ＰＵＣＣＨリソースインデックスであり、ＰＵＣＣＨフォーマット２／２ａ／２ｂのためのＰＵＣＣＨリソースインデックスである。
【００９５】
図１２は、第１のＰＵＣＣＨリソースインデックス割当の例を示す。
【００９６】
図１２を参照すると、Ｎ（１）ＰＵＣＣＨ個の第１のＰＵＣＣＨリソースインデックス（例えば、ｎ（１）ＰＵＣＣＨ＝０，．．．，Ｎ（１）ＰＵＣＣＨ−１）は、ＳＲとＳＰＳ（ｓｅｍｉ−ｐｅｒｓｉｓｔｅｎｔ  ｓｃｈｅｄｕｌｉｎｇ）ＡＣＫ／ＮＡＣＫ信号のために割り当てられる。ＳＰＳ  ＡＣＫ／ＮＡＣＫは、半静的スケジューリングで送信されたダウンリンクデータに対するＡＣＫ／ＮＡＣＫである。前記ダウンリンクデータがＰＤＳＣＨを介して送信される場合、前記ＰＤＳＣＨに対応するＰＤＣＣＨが存在しない。
【００９７】
基地局は、端末にＤＩＹＡＮＧＨＡＮパラメータを知らせることができる。パラメータの例として、Ｎ（１）ＰＵＣＣＨ、ＳＲのための第１のＰＵＣＣＨリソースインデックスであるＳＲインデックス、及びＳＰＳ  ＡＣＫ／ＮＡＣＫのための第１のＰＵＣＣＨリソースインデックスであるＳＰＳ  ＡＣＫ／ＮＡＣＫインデックスを含む。前記パラメータは、ＲＲＣのような上位階層により設定されることができる。パラメータＮ（１）ＰＵＣＣＨは、セル内の全ての端末に共通（ｃｏｍｍｏｎ）である。ＳＲインデックス及びＳＰＳ  ＡＣＫ／ＮＡＣＫインデックスは、端末−特定的（ＵＥ−ｓｐｅｃｉｆｉｃ）である。
【００９８】
残りの第１のＰＵＣＣＨリソースインデックスは、動的（ｄｙｎａｍｉｃ）ＡＣＫ／ＮＡＣＫのために割り当てられる。これを動的ＡＣＫ／ＮＡＣＫインデックスという。即ち、動的ＡＣＫ／ＮＡＣＫインデックスは、ＳＲインデックス及びＳＰＳ  ＡＣＫ／ＮＡＣＫインデックスと連続的に（ｃｏｎｓｅｃｕｔｉｖｅｌｙ）割り当てられる。動的ＡＣＫ／ＮＡＣＫは、動的スケジューリングで送信されたダウンリンクデータに対するＡＣＫ／ＮＡＣＫである。動的ＡＣＫ／ＮＡＣＫのための第１のＰＵＣＣＨリソースインデックスは、Ｎ（１）ＰＵＣＣＨとダウンリンクデータのスケジューリングのために使われる制御チャネルが送信されるリソースを用いて決定されることができる。例えば、前記制御チャネルはＰＤＣＣＨである。
【００９９】
図１３は、ＰＵＣＣＨが割り当てられるリソースブロックの例を示す。
【０１００】
図１３を参照すると、ｍはサブフレーム内でＰＵＣＣＨに割り当てられたリソースブロックの周波数領域位置を示す位置インデックスである（図６ご参照）。Ｎ（２）ＲＢ個のリソースブロック（例えば、ｍ＝０，．．．，Ｎ（２）ＲＢ−１）は、ＰＵＣＣＨフォーマット２／２ａ／２ｂのための送信にのみ使われる。基地局は、端末にＮ（２）ＲＢを知らせることができる。ｍ＝Ｎ（２）ＲＢであるリソースブロックは、混合リソースブロック（ｍｉｘｅｄ  ＲＢ）である。混合リソースブロックは、ＰＵＣＣＨフォーマット１／１ａ／１ｂ及び２／２ａ／２ｂの混合のために使われるリソースブロックである。各スロット内で一つ以下のリソースブロックが混合リソースブロックとしてサポートされる。基地局で受信されるリソースブロックにはセル内の複数の端末の各々のアップリンク制御情報が多重化されることができる。混合リソースブロックでは互いに異なる類型の制御情報が多重化されることができる。例えば、一つの端末が混合リソースブロックを使用してＳＲを送信する時、セル内の他の端末が前記混合リソースブロックを使用してＣＱＩを送信することができる。Ｎ（１）ＣＳは、混合リソースブロック内でＰＵＣＣＨフォーマット１／１ａ／１ｂのために使われる循環シフトの個数である。残りのリソースブロックは、ＰＵＣＣＨフォーマット１／１ａ／１ｂのための送信にのみ使われる。即ち、混合リソースブロックとその以後のリソースブロックは、ＡＣＫ／ＮＡＣＫ送信またはＳＲ送信のために使われる。
【０１０１】
端末は、ＰＵＣＣＨリソースインデックスからＰＵＣＣＨに割り当てられたリソースブロック（または副搬送波）を求めることができる。サブフレーム内で位置インデックスｍは、次の数式のように求めることができる。
【０１０２】
【数４】
0005438110.tif 000010
【０１０３】
ここで、Ｎは、リソースブロックが含む副搬送波の個数である。
【０１０４】
縮小されたＡＣＫ／ＮＡＣＫフォーマットは、セル基礎（ｃｅｌｌ  ｂａｓｉｓ）またはサブフレーム基礎により適用されることができる。この場合、セル内の全ての端末または一つのサブフレーム内の全ての端末は、縮小されたＡＣＫ／ＮＡＣＫまたはＳＲを使用するのが当然である。縮小されたＡＣＫ／ＮＡＣＫフォーマットは、リソースブロック基礎によっても適用されることができる。この場合、ノーマルＳＲフォーマットと縮小されたＡＣＫ／ＮＡＣＫフォーマットが一つのサブフレームで使われると、ノーマルＳＲフォーマットが送信されるリソースブロックと縮小されたＡＣＫ／ＮＡＣＫフォーマットが送信されるリソースブロックは、物理的に分離されなければならない。ノーマルＳＲフォーマットが使われるＳＲ信号と縮小されたＡＣＫ／ＮＡＣＫフォーマットが使われるＡＣＫ／ＮＡＣＫ信号との間に直交性（ｏｒｔｈｏｇｏｎａｌｉｔｙ）を維持させるためである。
【０１０５】
しかし、前述したように、ＳＲインデックスは、動的ＡＣＫ／ＮＡＣＫインデックスと論理的に（ｌｏｇｉｃａｌｌｙ）区別されるが、物理的には区別されない。その理由は、ＳＲインデックスと動的ＡＣＫ／ＮＡＣＫインデックスは、異なる値を有するが、同一リソースブロックに割り当てられることができるためである。従って、ノーマルＳＲフォーマットと縮小されたＡＣＫ／ＮＡＣＫフォーマットとを共に使用しようとする場合、ＳＲのためのリソースブロックと分離された動的ＡＣＫ／ＮＡＣＫのための新しいリソースブロックを割り当てなければならない。この時、新しいリソースブロックは、ＳＲのためのリソースブロックがＳＲインデックスにより完全に使われるか否かに関係なしに割り当てられる。これはリソースブロックの浪費を招く。Δｓｈｉｆｔが１の場合、一つのリソースブロックに最大３６個の第１のＰＵＣＣＨリソースインデックスが使われることができる。もし、前記一つのリソースブロックに一つのＳＲインデックスのみ使われ、動的ＡＣＫ／ＮＡＣＫのための新しいリソースブロックが割り当てられると、前記一つのリソースブロックでは３５個のインデックスが浪費される。サブフレームが周波数領域で６リソースブロックを含むシステムの場合、一つのリソースブロックで浪費されるリソースインデックスは最大約２５％である。
【０１０６】
従って、縮小されたＡＣＫ／ＮＡＣＫフォーマットと同一構造の縮小されたＳＲフォーマットを使用すると、前述した問題を容易に解決することができる。
【０１０７】
図１４は、ノーマルＣＰの場合、縮小されたＳＲフォーマット送信の例を示し、図１５は、拡張されたＣＰの場合、縮小されたＳＲフォーマット送信の例を示す。
【０１０８】
図１４及び図１５を参照すると、ＳＲのために一つのシンボルｄ（０）が使われる。基地局は、ＳＲを端末からのＰＵＣＣＨ送信の存在または不存在だけで分かる。従って、ＰＵＣＣＨフォーマット１のための複素シンボルｄ（０）として特定値、例えば、ｄ（０）＝１を使用することができる。即ち、ＳＲは、ＡＣＫ／ＮＡＣＫ信号とは異なって、二進数情報が変調される過程を経ない。この時、ＳＲは、ＳＲのために割り当てられた第１のＰＵＣＣＨリソースインデックスを用いて送信される。即ち、端末は、前記第１のＰＵＣＣＨリソースインデックスから直交シーケンスインデックス及び循環シフトインデックスを決定し、リソースブロックの位置を決定してＳＲを送信する。
【０１０９】
サブフレーム内の第２のスロットの最後のＳＣ−ＦＤＭＡシンボルが穿孔（ｐｕｎｃｔｕｒｉｎｇ）される。穿孔されたシンボルに該当する区間でサウンディング参照信号が送信されることができる。第１のスロットは、図７または図８と同様である。第２のスロットではＳＲ信号が３ＳＣ−ＦＤＭＡシンボルに載せられる。前記３ＳＣ−ＦＤＭＡシンボルに対しては拡散係数Ｋ＝３である直交シーケンスが用いられる。即ち、第１のスロットと第２のスロットは非対称的である。
【０１１０】
このように、縮小されたＳＲフォーマットは、縮小されたＡＣＫ／ＮＡＣＫフォーマットと同一フォーマットであるため、縮小されたＳＲフォーマットを具現するためのシステムオーバーヘッドがない。また、一つの端末がＳＲとサウンディング参照信号を同時送信することができるため、限定された無線リソースを効率的に活用することができる。また、サウンディング参照信号が適時に送信されない状況を防止することができる。第１のＰＵＣＣＨリソースインデックスを効率的に用いるために、縮小されたＡＣＫ／ＮＡＣＫフォーマットが設定されると、縮小されたＳＲフォーマットを設定することができる。また、ノーマルＡＣＫ／ＮＡＣＫフォーマットが設定されると、ノーマルＳＲフォーマットを設定することあできる。これによって、ＳＲとＡＣＫ／ＮＡＣＫが同一フォーマットを使用することによって、ＳＲとＡＣＫ／ＮＡＣＫ信号との間に直交性が維持されることができる。また、ＡＣＫ／ＮＡＣＫとＳＲは同時に同一類型のフォーマットで設定されるため、スケジューリング複雑度を減らすことができる。従って、効率的にＳＲを送信することができ、全体システム性能を向上させることができる。
【０１１１】
図１６は、縮小されたＳＲフォーマットを用いたアップリンク制御信号の送信方法の一例を示す流れ図である。
【０１１２】
図１６を参照すると、基地局は、端末に縮小されたＳＲのためのパラメータを送信する（Ｓ１１０）。サウンディング参照信号のためのパラメータには同時送信インジケータ（ｓｉｍｕｌｔａｎｅｏｕｓ  ｔｒａｎｓｍｉｓｓｉｏｎ  ｉｎｄｉｃａｔｏｒ）、特定サブフレーム設定（ｓｐｅｃｉｆｉｃ  ｓｕｂｆｒａｍｅ  ｃｏｎｆｉｇｕｒａｔｉｏｎ）パラメータがある。前記パラメータは、セル内の全ての端末に共通である。縮小されたＳＲのためのパラメータは、サウンディング参照信号のためのパラメータと共に送信されることができる。縮小されたＳＲのためのパラメータは、ＲＲＣのような上位階層により設定されることができる。
【０１１３】
同時送信インジケータは、ＳＲ及び／またはＡＣＫ／ＮＡＣＫ信号とサウンディング参照信号との同時送信サポート可否を示す。同時送信インジケータが同時送信サポートを指示すると、端末は、縮小されたＡＣＫ／ＮＡＣＫフォーマット、縮小されたＳＲフォーマットを使用することができる。即ち、同時送信インジケータは、ＰＵＣＣＨ上の一つのＳＣ−ＦＤＭＡシンボルの穿孔可否を指示するといえる。
【０１１４】
特定サブフレーム設定パラメータは、縮小されたＡＣＫ／ＮＡＣＫフォーマット、縮小されたＳＲフォーマットが送信されるサブフレームを示す。端末は、特定サブフレーム設定パラメータが指示する特定サブフレームでのみ縮小されたＳＲフォーマットを使用することができる。即ち、特定サブフレーム設定パラメータは、ＰＵＣＣＨ上の一つのＳＣ−ＦＤＭＡシンボルが穿孔される特定サブフレームを指示するといえる。
【０１１５】
端末は、前記特定サブフレームで縮小されたＳＲフォーマットによってＰＵＣＣＨを設定する（Ｓ１２０）。端末は、ＰＵＣＣＨ上に縮小されたＳＲフォーマットのＳＲを送信する（Ｓ１３０）。この時、特定サブフレームでサウンディング参照信号が送信されなくても、端末は、縮小されたＳＲフォーマットのＳＲを送信する。基地局は、端末にＰＤＣＣＨ上にアップリンクリソースを送る（Ｓ１４０）。アップリンクリソースは、ＳＲに対する応答である。
【０１１６】
次の表は、特定サブフレーム設定パラメータが指示する特定サブフレームの周期（ｐｅｒｉｏｄ）及び特定サブフレームオフセット（ｏｆｆｓｅｔ）の例を示す。
【０１１７】
【表６】
0005438110.tif 000011
【０１１８】
ここで、特定サブフレームは、次の数式を充たすサブフレームである。
【０１１９】
【数５】
0005438110.tif 000012
【０１２０】
ここで、ｎｓは無線フレーム内のスロット番号であり、ＴＳＦＣは特定サブフレームの周期であり、ΔＳＦＣは特定サブフレームオフセットである。
【０１２１】
図１７は、縮小されたＳＲフォーマットを用いたアップリンク制御信号の送信方法の他の例を示す流れ図である。
【０１２２】
図１７を参照すると、基地局は、端末に縮小されたＳＲのためのパラメータを送信する（Ｓ２１０）。端末は、前記パラメータが指示する特定サブフレームで縮小されたＳＲフォーマットによってＰＵＣＣＨを設定する（Ｓ２２０）。端末は、ＰＵＣＣＨ上に縮小されたＳＲフォーマットのＳＲと同時にサウンディング参照信号を送信する（Ｓ２３０）。基地局は、端末にＰＤＣＣＨ上にアップリンクリソースを送る（Ｓ２４０）。
【０１２３】
図１８は、特定サブフレームでＳＲとサウンディング参照信号が送信される例を示す。
【０１２４】
図１８を参照すると、端末は、サウンディング参照信号が送信される区間のＳＣ−ＦＤＭＡシンボルの一つを穿孔する。これによって、端末は、縮小されたＳＲフォーマットのＳＲとサウンディング参照信号を同時に送信することができる。
【０１２５】
図１９は、本発明の実施例を具現する無線通信システムを示すブロック図である。基地局５０は、プロセッサ（ｐｒｏｃｅｓｓｏｒ）５１、メモリ５２、及びＲＦ（Ｒａｄｉｏ  ｆｒｅｑｕｅｎｃｙ）部５３を含む。プロセッサ５１は、前述した説明で提案された機能、過程及び／または方法を具現する。無線インターフェースプロトコルの階層は、プロセッサ５１により具現されることができる。メモリ５２は、プロセッサ５１と連結され、プロセッサ５１を動作させるための多様な情報を格納する。ＲＦ部５３は、プロセッサ５１と連結され、無線信号を送信及び／または受信する。端末６０は、プロセッサ６１、メモリ６２、及びＲＦ部６３を含む。プロセッサ６１は、前述した説明で提案された機能、過程及び／または方法を具現する。メモリ６２は、プロセッサ５１と連結され、プロセッサ６１を動作させるための多様な情報を格納する。ＲＦ部６３は、プロセッサ６１と連結され、無線信号を送信及び／または受信する。
【０１２６】
プロセッサ５１、６１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ５２、６２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部５３、６３は、無線信号を処理するためのベースバンド回路を含むことができる。実施例がソフトウェアで具現される時、前述した技法は、前述した機能を遂行するモジュール（過程、機能など）で具現されることができる。モジュールは、メモリ５２、６２に格納され、プロセッサ５１、６１により実行されることができる。メモリ５２、６２は、プロセッサ５１、６１の内部または外部にあってもよく、よく知られた多様な手段でプロセッサ５１、６１と連結されることができる。
【０１２７】
前述した例示的なシステムで、方法は、一連の段階またはブロックで順序図に基づいて説明されているが、本発明は、段階の順序に限定されるものではなく、ある段階は、前述と異なる段階と異なる順序にまたは同時に発生することができる。また、当業者であれば、順序図に示す段階が排他的でなく、他の段階が含まれたり、或いは順序図の一つまたはその以上の段階が本発明の範囲に影響を及ぼさずに削除可能であることを理解することができる。
【０１２８】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正及び変更を含む。
【図１】
0005438110.tif 000013
【図２】
0005438110.tif 000014
【図３】
0005438110.tif 000015
【図４】
0005438110.tif 000016
【図５】
0005438110.tif 000017
【図６】
0005438110.tif 000018
【図７】
0005438110.tif 000019
【図８】
0005438110.tif 000020
【図９】
0005438110.tif 000021
【図１０】
0005438110.tif 000022
【図１１】
0005438110.tif 000023
【図１２】
0005438110.tif 000024
【図１３】
0005438110.tif 000025
【図１４】
0005438110.tif 000026
【図１５】
0005438110.tif 000027
【図１６】
0005438110.tif 000028
【図１７】
0005438110.tif 000029
【図１８】
0005438110.tif 000030
【図１９】
0005438110.tif 000031